(57)【特許請求の範囲】
【請求項１】
バリアブルデータを含んでいる画像データに基づいて、香り薬剤を吸着又は付着させ得る香り薬剤吸着部を有する香りユニットを予め有する香りペーパに画像を記録する画像記録部と、
前記バリアブルデータからなる画像データと香りとを対応付ける識別情報を前記香りペーパに記録する情報記録部と、
前記識別情報に基づいて、前記香りペーパの前記香りユニットに、前記バリアブルデータからなる画像データに対応付けられた香りを記録する香り記録部と、を備え、
前記画像記録部は、前記香りユニットの位置に応じて、前記香りペーパに、前記バリアブルデータを含んでいる前記画像データを記録する
ことを特徴とする記録システム。
【請求項２】
前記香り記録部は、前記画像記録部によって前記画像が記録された香りペーパの前記香りユニットに対して、前記香りを記録することを特徴とする請求項１に記載の記録システム。
【請求項３】
前記識別情報は、前記バリアブルデータからなる前記画像データと香りとを対応付ける識別画像を含み、
前記画像記録部は、前記情報記録部を兼ねており、前記識別画像を前記香りペーパに記録することを特徴とする請求項２に記載の記録システム。
【請求項４】
前記識別画像は、バーコード画像を含むことを特徴とする請求項３に記載の記録システム。
【請求項５】
前記香りペーパは、外部との無線通信により情報を記憶および読出し可能な記憶部を有し、
前記情報記録部は、無線通信により前記記憶部に前記識別情報を記録するように構成されており、
前記画像記録部と前記香り記録部のうち一方は、前記情報記録部を備え、
前記画像記録部と前記香り記録部のうち他方は、無線通信により前記記憶部から前記識別情報を読み出す情報読出し部を備えた
ことを特徴とする請求項１に記載の記録システム。
【請求項６】
前記画像記録部は、
外部から、前記バリアブルデータを含んでいるバリアブル印刷用の印刷ジョブを受信する受信部と、
レイアウトが異なる複数種類の前記香りペーパを収容している給紙部と、
前記受信部によって受信された前記印刷ジョブから取得されるレイアウト情報に基づいて、前記給紙部に収容されている複数種類の前記香りペーパから、前記レイアウト情報に対応する香りペーパを選択する選択部と、
前記選択部によって選択された前記香りペーパに、前記バリアブルデータを含んでいる前記画像データに基づいた前記画像を形成する画像形成部と、を備えており、
前記香りペーパの前記レイアウトは、前記香りユニットの数およびレイアウトの相違に基づいて異なっている
ことを特徴とする請求項１〜５のいずれか１つに記載の記録システム。
【請求項７】
バリアブルデータを含んでいる画像データに基づいて、香り薬剤を吸着又は付着させ得る香り薬剤吸着部を有する香りユニットを予め有する香りペーパに画像を記録する画像記録装置からなる前処理装置と、香りを前記香りペーパの前記香りユニットに記録する香り記録装置からなる後処理装置と、含む記録システムに適用される前記前処理装置であって、
前記バリアブルデータからなる画像データと前記香りとを対応付ける識別情報を前記香りペーパに記録する情報記録部を備えており、
前記前処理装置は、前記香りユニットの位置に応じて、前記香りペーパに、前記バリアブルデータを含んでいる前記画像データを記録し、
前記後処理装置は、前記情報記録部によって前記香りペーパに記録された前記識別情報に基づいて、前記香りペーパの前記香りユニットに、前記バリアブルデータからなる画像データに対応付けられた香りを記録する
ことを特徴とする前処理装置。
【請求項８】
前記香りペーパに、前記バリアブルデータを含んでいる前記画像データに基づいた前記画像を形成する画像形成部を備えており、
前記識別情報は、前記バリアブルデータからなる前記画像データと香りとを対応付ける識別画像を含み、
前記画像形成部は、前記情報記録部を兼ねており、前記識別画像を前記香りペーパに形成する
ことを特徴とする請求項７に記載の前処理装置。
【請求項９】
前記識別画像は、バーコード画像を含むことを特徴とする請求項８に記載の前処理装置。
【請求項１０】
前記香りペーパは、外部との無線通信により情報を記憶および読出し可能な記憶部を有し、
前記情報記録部は、前記無線通信により前記記憶部に前記識別情報を記録するように構成され、
前記後処理装置は、前記情報記録部によって前記香りペーパに記録された前記識別情報に基づいて、前記香りペーパの前記香りユニットに、前記画像データに対応付けられた香りを記録する
ことを特徴とする請求項７に記載の前処理装置。
【請求項１１】
香り薬剤を吸着又は付着させ得る香り薬剤吸着部を有する香りユニットを予め有している香りペーパの前記香りユニットに香りを記録する香り記録装置からなる前処理装置と、バリアブルデータを含んでいる画像データに基づいて前記香りペーパに画像を記録する画像記録装置からなる後処理装置と、含む記録システムに適用される前記前処理装置であって、
前記バリアブルデータからなる画像データと前記香りとを対応付ける識別情報を前記香りペーパに記録する情報記録部を備えており、
前記後処理装置は、前記情報記録部によって前記香りペーパに記録された前記識別情報に基づいて、前記香りユニットの位置に応じて、前記香りペーパに、前記香りに対応付けられた前記バリアブルデータからなる画像データを記録する
ことを特徴とする前処理装置。
【請求項１２】
バリアブルデータを含んでいる画像データに基づいて、香り薬剤を吸着又は付着させ得る香り薬剤吸着部を有する香りユニットを予め有する香りペーパに画像を記録する画像記録装置からなる前処理装置と、香りを前記香りペーパの前記香りユニットに記録する香り記録装置からなる後処理装置と、含む記録システムに適用される前記後処理装置であって、
前記前処理装置は、前記バリアブルデータからなる画像データと前記香りとを対応付ける識別情報を前記香りペーパに記録する情報記録部を備えており、かつ、前記香りユニットの位置に応じて、前記香りペーパに、前記バリアブルデータを含んでいる前記画像データを記録し、
前記後処理装置は、前記情報記録部によって前記香りペーパに記録された前記識別情報を読み出す情報読出し部を備えており、読み出された前記識別情報に基づいて、前記香りペーパの前記香りユニットに、前記バリアブルデータからなる前記画像データに対応付けられた香りを記録する
ことを特徴とする後処理装置。
【請求項１３】
前記識別情報は、前記バリアブルデータからなる前記画像データと香りとを対応付ける識別画像を含み、
前記情報読出し部は、前記前処理装置の前記情報記録部によって前記ペーパに記録された前記識別画像を読み取る光学センサを含む、
ことを特徴とする請求項１２に記載の後処理装置。
【請求項１４】
前記識別画像は、バーコード画像を含むことを特徴とする請求項１３に記載の後処理装置。
【請求項１５】
前記香りペーパは、外部との無線通信により情報を記憶および読出し可能な記憶部を有し、
前記前処理装置の前記情報記録部は、前記無線通信により前記記憶部に前記識別情報を記録するように構成されており、
前記情報読出し部は、前記情報記録部によって前記記憶部に記録された前記識別情報を、前記無線通信により読み出すように構成される
ことを特徴とする請求項１２に記載の後処理装置。
【請求項１６】
香り薬剤を吸着又は付着させ得る香り薬剤吸着部を有する香りユニットを予め有している香りペーパの前記香りユニットに香りを記録する香り記録装置からなる前処理装置と、バリアブルデータを含んでいる画像データに基づいて前記香りペーパに画像を記録する画像記録装置からなる後処理装置と、含む記録システムに適用される前記後処理装置であって、
前記前処理装置は、前記バリアブルデータからなる画像データと前記香りとを対応付ける識別情報を前記香りペーパに記録する情報記録部を備えており、
前記後処理装置は、前記情報記録部によって前記香りペーパに記録された前記識別情報を読み出す情報読出し部を備えており、前記香りユニットの位置に応じて、前記香りペーパに、前記バリアブルデータを含んでいる前記画像データを記録し、かつ、読み出された前記識別情報に基づいて、前記香りペーパの前記香りユニットに、前記バリアブルデータからなる前記画像データに対応付けられた香りを記録する
ことを特徴とする後処理装置。
【請求項１７】
バリアブルデータを含んでいる画像データに基づいて、香り薬剤を吸着又は付着させ得る香り薬剤吸着部を有する香りユニットを予め有する香りペーパに画像を記録する画像記録ステップと、
前記バリアブルデータからなる画像データと香りとを対応付ける識別情報を前記香りペーパに記録する識別情報記録ステップと、
前記識別情報に基づいて、前記香りペーパの前記香りユニットに、前記バリアブルデータからなる画像データに対応付けられた香りを記録する香り記録ステップと、を備え、
前記画像記録ステップにおいて、前記香りユニットの位置に応じて、前記香りペーパに、前記バリアブルデータを含んでいる前記画像データが記録される
ことを特徴とする記録方法。
【請求項１８】
前記香り記録ステップは、前記画像記録ステップの後に実行されることを特徴とする請求項１７に記載の記録方法。
【請求項１９】
前記識別情報は、前記バリアブルデータからなる前記画像データと前記香りとを対応付ける識別画像を含み、
前記画像記録ステップは、前記識別情報記録ステップを兼ねており、前記画像記録ステップにおいて、前記識別画像が前記香りペーパに記録されることを特徴とする請求項１８に記載の記録方法。
【請求項２０】
前記識別画像は、バーコード画像を含むことを特徴とする請求項１９に記載の記録方法。
【請求項２１】
前記香りペーパは、外部との無線通信により情報を記憶および読出し可能な記憶部を有し、
前記画像記録ステップと前記香り記録ステップのうち一方において、無線通信により前記記憶部に前記識別情報が記録され、
前記画像記録ステップと前記香り記録ステップのうち他方において、無線通信により前記記憶部から前記識別情報が読み出されることを特徴とする請求項１７に記載の記録方法。
【請求項２２】
前記香りペーパは、レイアウトが異なる複数種類からなり、
前記画像記録ステップは、
外部から前記バリアブルデータを含んでいるバリアブル印刷用の印刷ジョブを受信する受信ステップと、
前記受信ステップにおいて受信された前記印刷ジョブから取得されるレイアウト情報に基づいて、複数種類の前記香りペーパから、前記レイアウト情報に対応する香りペーパを選択する選択ステップと、
前記選択ステップにおいて選択された前記香りペーパに、前記バリアブルデータを含んでいる前記画像データに基づいた前記画像を形成する画像形成ステップと、を備えており、
前記香りペーパの前記レイアウトは、前記香りユニットの数およびレイアウトの相違に基づいて異なっている
ことを特徴とする請求項１７〜２１のいずれか１つに記載の記録方法。
【発明の詳細な説明】
【技術分野】
【０００１】
本発明は、記録システムおよび記録方法に関する。本発明は、特に、香りペーパを利用した記録システムおよび記録方法に関する。
【背景技術】
【０００２】
商品やサービスの拡販のため、これらに関する情報が印刷されたダイレクトメールが多用されている。かかるダイレクトメールの利用分野においては、リプライ率および拡販効率の向上のため、ユーザに対する効果的なアピールが求められている。
【０００３】
ダイレクトメールやメッセージカードを利用する場合にユーザにアピールする１つの有効な手段として、香りの保存および発散が可能な香りペーパが提案されている（特許文献１〜４参照）。
【０００４】
一方、ＣＲＭ（Ｃｕｓｔｏｍｅｒ  Ｒｅｌａｔｉｏｎｓｈｉｐ  Ｍａｎａｇｅｍｅｎｔ）などの観点から、ダイレクトメールに代表される大量印刷を目的としたバリアブル印刷の需要が高まりつつある。ここで、バリアブル印刷とは、１枚１枚の印刷内容を必要に応じて部分的に差し替えることが可能な印刷をいう。
【０００５】
しかしながら、前述した香りペーパの利用形態は、お祝いはがき等の個人的用途、あるいは特定の商品やサービスの紹介等のために同じ香りが一律に記録されたダイレクトメール等の特定用途に限定されたものであった。
【０００６】
すなわち、上記特許文献１〜４に記載の技術は、例えばユーザごとに印刷内容を変化させ得るバリアブル印刷において、香りペーパを利用して個々のユーザに適した香りの再生を実現するための具体的な方法を提供するものではない。したがって、バリアブル印刷に香りペーパを利用したとしても、個々のユーザに対してより効果的にアピールすることができないという問題があった。
【特許文献１】特開２００３−４３９３０号公報
【特許文献２】特開平１１−３４８３７４号公報
【特許文献３】特開平６−３２８８８０号公報
【特許文献４】特開平８−２８６６１１号公報
【発明の開示】
【発明が解決しようとする課題】
【０００７】
本発明は、上述の課題を解決するためになされたものであり、本発明の目的は、バリアブル印刷に香りペーパを利用して個々のユーザに対して香りによるより効果的なアピールを行うことができる記録システムおよび記録方法を提供することにある。
【課題を解決するための手段】
【０００８】
本発明の上記目的は、下記の手段によって達成される。
【０００９】
（１）バリアブルデータを含んでいる画像データに基づいて、香り薬剤を吸着又は付着させ得る香り薬剤吸着部を有する香りユニットを予め有する香りペーパに画像を記録する画像記録部と、
前記バリアブルデータからなる画像データと香りとを対応付ける識別情報を前記香りペーパに記録する情報記録部と、
前記識別情報に基づいて、前記香りペーパの前記香りユニットに、前記バリアブルデータからなる画像データに対応付けられた香りを記録する香り記録部と、を備え、
前記画像記録部は、前記香りユニットの位置に応じて、前記香りペーパに、前記バリアブルデータを含んでいる前記画像データを記録する
ことを特徴とする記録システム。
【００１０】
（２）前記香り記録部は、前記画像記録部によって前記画像が記録された香りペーパの前記香りユニットに対して、前記香りを記録することを特徴とする上記（１）に記載の記録システム。
【００１１】
（３）前記識別情報は、前記バリアブルデータからなる前記画像データと香りとを対応付ける識別画像を含み、
前記画像記録部は、前記情報記録部を兼ねており、前記識別画像を前記香りペーパに記録することを特徴とする上記（２）に記載の記録システム。
【００１２】
（４）前記識別画像は、バーコード画像を含むことを特徴とする上記（３）に記載の記録システム。
【００１３】
（５）前記香りペーパは、外部との無線通信により情報を記憶および読出し可能な記憶部を有し、
前記情報記録部は、無線通信により前記記憶部に前記識別情報を記録するように構成されており、
前記画像記録部と前記香り記録部のうち一方は、前記情報記録部を備え、
前記画像記録部と前記香り記録部のうち他方は、無線通信により前記記憶部から前記識別情報を読み出す情報読出し部を備えた
ことを特徴とする上記（１）に記載の記録システム。
【００１４】
（６）前記画像記録部は、
外部から、前記バリアブルデータを含んでいるバリアブル印刷用の印刷ジョブを受信する受信部と、
レイアウトが異なる複数種類の前記香りペーパを収容している給紙部と、
前記受信部によって受信された前記印刷ジョブから取得されるレイアウト情報に基づいて、前記給紙部に収容されている複数種類の前記香りペーパから、前記レイアウト情報に対応する香りペーパを選択する選択部と、
前記選択部によって選択された前記香りペーパに、前記バリアブルデータを含んでいる前記画像データに基づいた前記画像を形成する画像形成部と、を備えており、
前記香りペーパの前記レイアウトは、前記香りユニットの数およびレイアウトの相違に基づいて異なっている
ことを特徴とする上記（１）〜（５）のいずれか１つに記載の記録システム。
【００１５】
（７）バリアブルデータを含んでいる画像データに基づいて、香り薬剤を吸着又は付着させ得る香り薬剤吸着部を有する香りユニットを予め有する香りペーパに画像を記録する画像記録装置からなる前処理装置と、香りを前記香りペーパの前記香りユニットに記録する香り記録装置からなる後処理装置と、含む記録システムに適用される前記前処理装置であって、
前記バリアブルデータからなる画像データと前記香りとを対応付ける識別情報を前記香りペーパに記録する情報記録部を備えており、
前記前処理装置は、前記香りユニットの位置に応じて、前記香りペーパに、前記バリアブルデータを含んでいる前記画像データを記録し、
前記後処理装置は、前記情報記録部によって前記香りペーパに記録された前記識別情報に基づいて、前記香りペーパの前記香りユニットに、前記バリアブルデータからなる画像データに対応付けられた香りを記録する
ことを特徴とする前処理装置。
【００１６】
（８）前記香りペーパに、前記バリアブルデータを含んでいる前記画像データに基づいた前記画像を形成する画像形成部を備えており、
前記識別情報は、前記バリアブルデータからなる前記画像データと香りとを対応付ける識別画像を含み、
前記画像形成部は、前記情報記録部を兼ねており、前記識別画像を前記香りペーパに形成する
ことを特徴とする上記（７）に記載の前処理装置。
【００１７】
（９）前記識別画像は、バーコード画像を含むことを特徴とする上記（８）に記載の前処理装置。
【００１８】
（１０）前記香りペーパは、外部との無線通信により情報を記憶および読出し可能な記憶部を有し、
前記情報記録部は、前記無線通信により前記記憶部に前記識別情報を記録するように構成され、
前記後処理装置は、前記情報記録部によって前記香りペーパに記録された前記識別情報に基づいて、前記香りペーパの前記香りユニットに、前記画像データに対応付けられた香りを記録する
ことを特徴とする上記（７）に記載の前処理装置。
（１１）香り薬剤を吸着又は付着させ得る香り薬剤吸着部を有する香りユニットを予め有している香りペーパの前記香りユニットに香りを記録する香り記録装置からなる前処理装置と、バリアブルデータを含んでいる画像データに基づいて前記香りペーパに画像を記録する画像記録装置からなる後処理装置と、含む記録システムに適用される前記前処理装置であって、
前記バリアブルデータからなる画像データと前記香りとを対応付ける識別情報を前記香りペーパに記録する情報記録部を備えており、
前記後処理装置は、前記情報記録部によって前記香りペーパに記録された前記識別情報に基づいて、前記香りユニットの位置に応じて、前記香りペーパに、前記香りに対応付けられた前記バリアブルデータからなる画像データを記録する
ことを特徴とする前処理装置。
【００１９】
（１２）バリアブルデータを含んでいる画像データに基づいて、香り薬剤を吸着又は付着させ得る香り薬剤吸着部を有する香りユニットを予め有する香りペーパに画像を記録する画像記録装置からなる前処理装置と、香りを前記香りペーパの前記香りユニットに記録する香り記録装置からなる後処理装置と、含む記録システムに適用される前記後処理装置であって、
前記前処理装置は、前記バリアブルデータからなる画像データと前記香りとを対応付ける識別情報を前記香りペーパに記録する情報記録部を備えており、かつ、前記香りユニットの位置に応じて、前記香りペーパに、前記バリアブルデータを含んでいる前記画像データを記録し、
前記後処理装置は、前記情報記録部によって前記香りペーパに記録された前記識別情報を読み出す情報読出し部を備えており、読み出された前記識別情報に基づいて、前記香りペーパの前記香りユニットに、前記バリアブルデータからなる前記画像データに対応付けられた香りを記録する
ことを特徴とする後処理装置。
【００２０】
（１３）前記識別情報は、前記バリアブルデータからなる前記画像データと香りとを対応付ける識別画像を含み、
前記情報読出し部は、前記前処理装置の前記情報記録部によって前記ペーパに記録された前記識別画像を読み取る光学センサを含む、
ことを特徴とする上記（１２）に記載の後処理装置。
【００２１】
（１４）前記識別画像は、バーコード画像を含むことを特徴とする上記（１３）に記載の後処理装置。
【００２２】
（１５）前記香りペーパは、外部との無線通信により情報を記憶および読出し可能な記憶部を有し、
前記前処理装置の前記情報記録部は、前記無線通信により前記記憶部に前記識別情報を記録するように構成されており、
前記情報読出し部は、前記情報記録部によって前記記憶部に記録された前記識別情報を、前記無線通信により読み出すように構成される
ことを特徴とする上記（１２）に記載の後処理装置。
（１６）香り薬剤を吸着又は付着させ得る香り薬剤吸着部を有する香りユニットを予め有している香りペーパの前記香りユニットに香りを記録する香り記録装置からなる前処理装置と、バリアブルデータを含んでいる画像データに基づいて前記香りペーパに画像を記録する画像記録装置からなる後処理装置と、含む記録システムに適用される前記後処理装置であって、
前記前処理装置は、前記バリアブルデータからなる画像データと前記香りとを対応付ける識別情報を前記香りペーパに記録する情報記録部を備えており、
前記後処理装置は、前記情報記録部によって前記香りペーパに記録された前記識別情報を読み出す情報読出し部を備えており、前記香りユニットの位置に応じて、前記香りペーパに、前記バリアブルデータを含んでいる前記画像データを記録し、かつ、読み出された前記識別情報に基づいて、前記香りペーパの前記香りユニットに、前記バリアブルデータからなる前記画像データに対応付けられた香りを記録する
ことを特徴とする後処理装置。
【００２３】
（１７）バリアブルデータを含んでいる画像データに基づいて、香り薬剤を吸着又は付着させ得る香り薬剤吸着部を有する香りユニットを予め有する香りペーパに画像を記録する画像記録ステップと、
前記バリアブルデータからなる画像データと香りとを対応付ける識別情報を前記香りペーパに記録する識別情報記録ステップと、
前記識別情報に基づいて、前記香りペーパの前記香りユニットに、前記バリアブルデータからなる画像データに対応付けられた香りを記録する香り記録ステップと、を備え、
前記画像記録ステップにおいて、前記香りユニットの位置に応じて、前記香りペーパに、前記バリアブルデータを含んでいる前記画像データが記録される
ことを特徴とする記録方法。
【００２４】
（１８）前記香り記録ステップは、前記画像記録ステップの後に実行されることを特徴とする上記（１７）に記載の記録方法。
【００２５】
（１９）前記識別情報は、前記バリアブルデータからなる前記画像データと前記香りとを対応付ける識別画像を含み、
前記画像記録ステップは、前記識別情報記録ステップを兼ねており、前記画像記録ステップにおいて、前記識別画像が前記香りペーパに記録されることを特徴とする上記（１８）に記載の記録方法。
【００２６】
（２０）前記識別画像は、バーコード画像を含むことを特徴とする上記（１９）に記載の記録方法。
【００２７】
（２１）前記香りペーパは、外部との無線通信により情報を記憶および読出し可能な記憶部を有し、
前記画像記録ステップと前記香り記録ステップのうち一方において、無線通信により前記記憶部に前記識別情報が記録され、
前記画像記録ステップと前記香り記録ステップのうち他方において、無線通信により前記記憶部から前記識別情報が読み出されることを特徴とする上記（１７）に記載の記録方法。
【００２８】
（２２）前記香りペーパは、レイアウトが異なる複数種類からなり、
前記画像記録ステップは、
外部から前記バリアブルデータを含んでいるバリアブル印刷用の印刷ジョブを受信する受信ステップと、
前記受信ステップにおいて受信された前記印刷ジョブから取得されるレイアウト情報に基づいて、複数種類の前記香りペーパから、前記レイアウト情報に対応する香りペーパを選択する選択ステップと、
前記選択ステップにおいて選択された前記香りペーパに、前記バリアブルデータを含んでいる前記画像データに基づいた前記画像を形成する画像形成ステップと、を備えており、
前記香りペーパの前記レイアウトは、前記香りユニットの数およびレイアウトの相違に基づいて異なっている
ことを特徴とする上記（１７）〜（２１）のいずれか１つに記載の記録方法。
【発明の効果】
【００２９】
本発明によれば、バリアブルデータからなる画像データと香りとを対応付ける識別情報に基づいて、香り薬剤を吸着又は付着させ得る香り薬剤吸着部を有する香りユニットを予め有する香りペーパに、バリアブルデータからなる画像データに対応付けられた香りを記録するため、例えばユーザごとに印刷内容を変化させ得るバリアブル印刷において、ユーザごとに変化する画像を香りペーパに印刷するとともに、その印刷内容に対応した香りを当該香りペーパの香りユニットに記録することが可能となる。
【００３０】
したがって、バリアブル印刷に香りペーパを利用して個々のユーザに対して香りによるより効果的なアピールを行うことが可能となる。
【発明を実施するための最良の形態】
【００３１】
以下、本発明の実施の形態を、図面を参照して詳細に説明する。
【００３２】
図１は、本発明の第１実施形態に係る記録システムが適用されたネットワークシステムの全体構成図である。
【００３３】
ネットワークシステムは、記録システム１と、クライアント端末３０と、データベースサーバ４０とを備え、これらはネットワーク５０を介して相互に通信可能に接続されている。
【００３４】
記録システム１は、前処理装置１０と後処理装置２０とを備えている。前処理装置１０と後処理装置２０とは、機械的に接続されて用紙が自動的に搬送される形態となっている。しかし、前処理装置１０と後処理装置２０とが切り離されており、人手により用紙が移動させられてもよい。
【００３５】
また、電気的には、前処理装置１０はネットワーク５０に接続されており、前処理装置１０と後処理装置２０とは、ＩＥＥＥ１３９４シリアルバス等の専用インタフェース用バスを介して接続されている。ただし、前処理装置１０と後処理装置２０とは、ネットワーク５０を介して接続されてもよい。
【００３６】
ネットワーク５０は、イーサネット（登録商標）、トークンリング、ＦＤＤＩ等の規格によりコンピュータやネットワーク機器同士を接続したＬＡＮ、あるいはＬＡＮ同士を専用線で接続したＷＡＮ等からなる。なお、ネットワーク５０に接続される機器の種類および台数は、図１に示す例に限定されない。
【００３７】
本実施形態では、前処理装置１０は、画像データに基づいて香りペーパに画像を記録するという画像記録処理を行うための画像記録部であり、後処理装置２０は、当該香りペーパの所定箇所に予め用意された、香りを保存し得る香り機構部６５（図５参照）に、当該画像データに対応付けられた香りを記録する、つまり香り薬剤を吸着又は付着させるという香り記録処理を行うための香り記録部である。香りペーパについての詳細は後述する。
【００３８】
図２は、前処理装置１０の概略構成を示すブロック図である。
【００３９】
前処理装置１０は、ＣＰＵ１１、ＲＯＭ１２、ＲＡＭ１３、操作パネル部１４、給紙部１５、画像形成部１６、ＩＣタグライタ１７、および通信インタフェース１８を含み、これらは信号をやり取りするためのバス１９を介して相互に接続されている。
【００４０】
ＣＰＵ１１は、プログラムにしたがって上記各部の制御や各種の演算処理を行う。ＲＯＭ１２は、予め各種プログラムや各種データを格納する。ＲＡＭ１３は、作業領域として一時的にプログラムやデータを記憶する。
【００４１】
操作パネル部１４は、タッチパネル、テンキー、スタートボタン、ストップボタン等を備えており、各種情報の表示および各種指示の入力に使用される。
【００４２】
給紙部１５は、印刷に使用される記録材としての香りペーパを収容するトレイと、該トレイに収容された香りペーパを１枚ずつ画像形成部１６に送り出す機構とを有する。給紙部１５は、本実施形態では、香りペーパの種別数にあわせて、２つの給紙トレイＴ１，Ｔ２を備えている（図示せず）。なお、香りペーパの種別数は任意であり、給紙トレイの数も任意である。
【００４３】
画像形成部１６は、帯電、露光、現像、転写および定着の各工程を含む電子写真式プロセス等の周知の作像プロセスを用いて、各種画像を香りペーパ上に印刷する。
【００４４】
ＩＣタグライタ１７は、香りペーパに備えられたＩＣタグ７０（図６参照）に電子データを書き込む。ＩＣタグライタ１７とＩＣタグ７０との間の通信方式としては、国際標準規格のＩＳＯ１４４４３、ＩＳＯ１５６９３等に規定されるものが挙げられ、１３５ＫＨｚ、１３．５６ＭＨｚ、２．４５ＧＨｚ等の周波数帯が利用され得る。主に使用される周波数帯は１３．５６ＭＨｚであり、当該周波数帯が使用される場合の通信可能距離は３０ｃｍ程度である。但し、利用する通信方式はこれらに限定されるものではなく、その他の既知の通信方式や独自の通信方式が利用されてもよい。
【００４５】
通信インタフェース１８は、他の機器と通信するためのインタフェースである。この通信インタフェース１８は、ネットワーク５０上の機器と通信するためのインタフェースと、後処理装置２０と通信するためのインタフェースとを備えている。
【００４６】
図３は、後処理装置２０の概略構成を示すブロック図である。
【００４７】
後処理装置２０は、ＣＰＵ２１、ＲＯＭ２２、ＲＡＭ２３、ＩＣタグリーダ２４、香り書き込み装置２５、用紙排出部２６、および通信インタフェース２７を含み、これらは信号をやり取りするためのバス２８を介して相互に接続されている。なお、前処理装置１０と同様の機能を有する部分については、説明の重複を避けるためその説明を省略する。
【００４８】
ＩＣタグリーダ２４は、香りペーパに備えられたＩＣタグから電子データを読み出す。ＣＰＵ２１の指示により、ＩＣタグリーダ２４は、ＩＣタグ内の電子データをすべて読み出すこともできるし、所定の単位ごとに読み出すこともできる。ＩＣタグリーダ２４として、ＩＣタグライタ１７と同様のものを使用でき、ＩＣタグリーダ２４とＩＣタグとの通信方式は、ＩＣタグライタ１７と同様のものが利用され得る。
【００４９】
香り書き込み装置２５は、香りペーパの香り機構部６５（図５参照）に香りを記録する、つまり香り薬剤を吸着又は付着させる。ここで、書き込み装置２５は、指定された香りデータ（香りの種類を特定するデータ）に対応する香りを、香りペーパに記録することができる。本実施形態の香り書き込み装置２５は、香りペーパの種別数にあわせて、２つの香り書き込み部Ｗ１，Ｗ２を備えている（図示せず）。用紙排出部２６は、香りが記録された香りペーパを排出する。
【００５０】
前処理装置１０および後処理装置２０は、上述した構成要素以外の構成要素を含んでいてもよく、あるいは、上述した構成要素のうちの一部が含まれていなくてもよい。
【００５１】
クライアント端末３０は、例えば一般的なパーソナルコンピュータである。クライアント端末３０は、バリアブル印刷用の印刷ジョブを作成して、記録システム１の前処理装置１０に送信する。
【００５２】
データベースサーバ４０は、各種の香りデータを保存しており、記録システム１の後処理装置２０の要求に応じて、要求された香りデータを後処理装置２０に向けて送信する。
【００５３】
本実施形態では、印刷ジョブは、好ましくはＰＰＭＬ（Ｐｅｒｓｏｎａｌｉｚｅｄ  Ｐｒｉｎｔ  Ｍａｒｋｕｐ  Ｌａｎｇｕａｇｅ）にしたがう形式のファイルである。ここで、印刷ジョブは、オブジェクト単位のコンテンツデータと、各ページにおけるオブジェクトの配置を示すレイアウト情報と、印刷条件の指定等のジョブ情報とが一つにまとめられたファイルである。ただし、コンテンツデータ、レイアウト情報、およびジョブ情報がそれぞれ別々に送信されてもよい。
【００５４】
図４は、香りペーパの一例を示す。本明細書において、香りペーパとは、香りを記録（保存）し、その香りを発散（再生）可能に構成されたシートをいう。香りペーパには、香りを記録する前の状態のシートと、香りを記録した後の状態のシートの２つの状態がある。本実施形態の前処理装置１０で扱う香りペーパは、香り記録前のシートを意味する。香りペーパＰは、香りを保存し、その香りを再生する機能を備えた香りユニット６０を少なくとも１つ有している。
【００５５】
図５は、香りペーパの香りユニットの構造の一例を示す。香りユニット６０は、香りペーパの台紙６１に接着剤６２を介して貼られたＰＢＴ（ポリブチレンテレフタレート）フィルムなどの香り遮断シートからなるベースシート６３と、その上に層状に設けられ香り薬剤を吸着又は付着させ得る香り薬剤吸着部６４とから構成される香り機構部６５を備えている。薬剤吸着部６４は、所定の香りデータに対応する香り薬剤が吸着された後に、香りの発散を抑止するために、ＰＢＴフィルムなどの香り遮断シートからなるカバーシート６６で覆われる。香りペーパＰにおいて、香りを記録するとは、香り薬剤を香り薬剤吸着部６４に吸着又は付着させてカバーシート６６で覆うことであり、また、その香りを再生するとは、その後にカバーシート６６を剥がしたり破いたりしてその全部または一部を除去することにより、香りを発散させることを意味する。なお、香りユニットの構造は、上記構造に限定されるものではなく、香りの保存および再生が可能であれば何でもよい。
【００５６】
香りペーパＰのレイアウトは、１つの台紙６１上に備えられた香りユニット６０の数の違いにより、香りペーパＰのレイアウトが大きく異なる。このレイアウトの基本的相違により香りペーパの種類が異なったものとなる。
【００５７】
図６（Ａ）（Ｂ）は、本実施形態で使用される２種類の香りペーパを示す。このように、本発明では、香りユニット６０の数が異なる複数の種別の香りペーパを扱うことが可能である。
【００５８】
本実施形態では、香りユニット６０の数およびレイアウトが異なる２つの香りペーパＰ１，Ｐ２が使用される。香りペーパＰ１は、２つの香りユニット６０を備えており、香りペーパＰ２は、３つの香りユニット６０を備えている。そして、香りペーパＰ１は給紙部１５の給紙トレイＴ１に、香りペーパＰ２は給紙部１５の給紙トレイＴ２に、それぞれ収容される。ただし、給紙部１５は１つの給紙トレイのみ有しており、１つの印刷ジョブごと、あるいは一連の印刷ジョブごとに、ユーザの手により、種別の異なる用紙がセットされてもよい。また、本実施形態ではカット紙が使用されるが、連続紙が使用されてもよい。
【００５９】
さらに、この実施形態では、香りペーパは、当該香りペーパの少なくとも一部分にＩＣタグ７０が備えられて構成されている。ここで、ＩＣタグ７０は、香りペーパに貼付されていてもよく、あるいは香りペーパに埋め込まれていてもよい。また、１枚の香りペーパに備えられるＩＣタグ７０は、１個であっても複数個であってもよい。
【００６０】
このＩＣタグ７０は、無線通信を利用した非接触型の電子タグであり、内部にＩＣチップからなる記憶部とコイルからなるアンテナ部とを有している（いずれも図示せず）。ＩＣタグ７０がＩＣタグリーダ２４またはＩＣタグライタ１７から放出される電波を受信すると、電磁誘導結合によりＩＣタグ７０に電流が流れる。これにより、ＩＣタグ７０は、ＩＣタグリーダ２４またはＩＣタグライタ１７と無線通信を行い、電子データの読み出しおよび書き込みを行うことができる。
【００６１】
次に、図７および図８を参照して、前処理装置１０における画像記録処理について説明する。なお、図７および図８のフローチャートにより示されるアルゴリズムは、前処理装置１０のＲＯＭ１２などの記憶部にプログラムとして記憶されており、ＣＰＵ１１により実行される。
【００６２】
まず、前処理装置１０は、クライアント端末３０から印刷ジョブを受信するまで待機する（Ｓ１０１：ＮＯ）。
【００６３】
印刷ジョブが受信されると（Ｓ１０１：ＹＥＳ）、前処理装置１０は、受信された印刷ジョブをＲＡＭ１３に保存し、その印刷ジョブの中からコンテンツデータを取得する（Ｓ１０２）。
【００６４】
ここで、印刷ジョブと共に、当該印刷ジョブに対応する香りデータ識別情報が、クライアント端末３０から受信されて、ＲＡＭ１３に保存される。なお、香りデータ識別情報は、印刷ジョブ内に含まれていてもよい。この香りデータ識別情報は、ネットワーク５０上のデータベースサーバ４０等に格納された香りデータ（香りの種類を特定するデータ）を一意に識別するための情報である。なお、香りデータ識別情報の代わりに、香りデータそのものが受信されてもよい。
【００６５】
続いて、取得されたコンテンツデータの中に、ＲＩＰ（Ｒａｓｔｅｒ  Ｉｍａｇｅ  Ｐｒｏｃｅｓｓｉｎｇ）を施すことが必要なデータが存在するか否かが判断される（Ｓ１０３）。ここで、ＲＩＰとは、ビットマップ形式の画像データに変換するための処理である。コンテンツデータの中にＲＩＰを施すことが必要なデータが存在しない場合（Ｓ１０３：ＮＯ）、ステップＳ１０５に進む。
【００６６】
一方、コンテンツデータの中にＲＩＰを施すことが必要なデータが存在する場合（Ｓ１０３：ＹＥＳ）、当該データに対してＲＩＰが施される（Ｓ１０４）。
【００６７】
ステップＳ１０５では、保存されている印刷ジョブの中からレイアウト情報が取得される。
【００６８】
続いて、取得されたレイアウト情報に基づいて、発散（再生）可能な香りの種類の数がいくつであるかが判断される（Ｓ１０６）。なお、本実施形態では、２個または３個である（図６（Ａ）（Ｂ）参照）。
【００６９】
再生可能な香りの種類の数が２個と判断された場合（Ｓ１０６：２個）、給紙トレイＴ１が選択される（Ｓ１０７）。この場合、使用される香りペーパの種別はＰ１である。一方、再生可能な香りの種類の数が３個と判断された場合（Ｓ１０６：３個）、給紙トレイＴ２が選択される（Ｓ１０８）。この場合、使用される香りペーパの種別はＰ２である。なお、使用すべき給紙トレイは、印刷ジョブのジョブ情報において指定されている用紙種別に基づいて選択されてもよい。
【００７０】
続いて、印刷ジョブの各コンテンツデータに対して必要によりＲＩＰが施されて得られたデータが合成されて、１ページ分の印刷用画像データが作成される（Ｓ１０９）。具体的には、各コンテンツデータに基づく画像が、香りペーパのレイアウト情報から判定された各香りユニット６０の位置に応じてページに配置されて合成される。また、香りペーパのレイアウト情報から判定された各香りユニット６０の位置に、香りを発散させるトリガ部位であることを示すマーク画像と、香りの発散を促すメッセージ画像とがそれぞれ配置される。なお、マーク画像、およびメッセージ画像のいずれか一方のみが配置されてもよい。このようなレイアウトに従って１ページ分の印刷用画像データが作成される。なお、香りペーパのレイアウト情報は、使用する香りペーパごとに、予めＲＡＭ１３に登録されているものとする。この香りペーパのレイアウト情報は、例えば、操作パネル部１４を通したユーザの入力によって得られてもよく、ＩＣタグ７０に記憶されている電子データを読み出すことによって得られてもよい。
【００７１】
そして、作成された１ページ分の印刷用画像データに基づいて、香りペーパに画像が印刷される（Ｓ１１０）。
【００７２】
続いて、香りデータ識別情報が取得される（Ｓ１１１）。なお、香りデータ識別情報は、前述したように既にＲＡＭ１３に保存されている。
【００７３】
続いて、ステップＳ１１１で取得された香りデータ識別情報と、ステップＳ１０７またはＳ１０８で取得された香りペーパの種別情報とが、ＩＣタグライタ１７により、香りペーパのＩＣタグ７０に書き込まれる（Ｓ１１２）。
【００７４】
このようにして画像記録処理が完了した香りペーパは、後処理装置２０に転送される（Ｓ１１３）。本実施形態では、香りペーパの後処理装置２０への転送は、図示しない搬送機構によって自動で行われるが、手動により行われてもよい。なお、香りデータ識別情報の代わりに香りデータそのものが受信されている場合には、当該香りデータが後処理装置２０へ送信される。
【００７５】
次に、図９を参照して、後処理装置２０における香り記録処理について説明する。なお、図９のフローチャートにより示されるアルゴリズムは、後処理装置２０のＲＯＭ２２などの記憶部にプログラムとして記憶されており、ＣＰＵ２１により実行される。
【００７６】
まず、後処理装置２０は、前処理装置１０から香りペーパが転送されてくるまで待機する（Ｓ２０１：ＮＯ）。
【００７７】
香りペーパが転送されてくると（Ｓ２０１：ＹＥＳ）、ＩＣタグリーダ２４により、当該香りペーパに備えられたＩＣタグ７０から電子データが読み出される（Ｓ２０２）。
【００７８】
続いて、読み出された電子データの中から、香りデータ識別情報と香りペーパ種別情報とが取得されて、ＲＡＭ２３に保存される（Ｓ２０３）。
【００７９】
そして、香りデータ識別情報に基づいて、ネットワーク５０上のデータベースサーバ４０に格納された香りデータが取得される（Ｓ２０４）。ただし、香りデータ識別情報の代わりに香りデータそのものが前処理装置１０から受信されている場合には、当該香りデータが使用される。
【００８０】
続いて、香りペーパ種別情報が何であるかが判断される（Ｓ２０５）。香りペーパ種別情報がＰ１である場合（Ｓ２０５：Ｐ１）、香り書き込み部Ｗ１が選択され（Ｓ２０６）、香りペーパ種別情報がＰ２である場合（Ｓ２０５：Ｐ２）、香り書き込み部Ｗ２が選択される（Ｓ２０７）。
【００８１】
香りペーパにおける香りユニット６０の配置等に従って、香りの記録を実行する位置、つまり用紙の送り方向に直角な幅方向の位置を変える必要がある場合には、香り書き込み部は、取り扱う香りペーパにおける香りユニット６０のレイアウトの種類に対応した数だけ用意される。本実施形態では、香りペーパＰ１と香りペーパＰ２との香りユニット６０は互いに同じ幅方向位置にあるため、必ずしも２つ必要となるわけではない。ただし、本実施形態では、両香りペーパＰ１およびＰ２間で香りの記録条件が異なると仮定しているため、後処理装置２０には２つの香り書き込み部Ｗ１，Ｗ２が設けられている。
【００８２】
続いて、選択された香り書き込み部に対して、香りペーパが搬送され（Ｓ２０８）、香り書き込み部により、搬送された香りペーパの香りユニット６０の香り機構部６５に、取得された香りデータに対応する香りが記録（保存）される（Ｓ２０９）。すなわち、取得された香りデータに対応する種類の香り薬剤が薬剤吸着部６４に吸着又は付着され、そして、その香り記録後の香り機構部６５上に香りカバーシート６６が被覆されて、香りの発散が防止される（図５参照）。
【００８３】
このようにして香り記録処理が完了した香りペーパは、図示しないトレイに向けて排出される（Ｓ２１０）。
【００８４】
図１０は、後処理装置２０から出力された香りペーパＰ１の一例を示し、図１１は、後処理装置２０から出力された香りペーパＰ２の一例を示す。
【００８５】
図１０に示す香りペーパＰ１には、「井上ユリ」という名のユーザに対応するバリアブルデータＤ１と、全てのユーザに共通の固定データＤ２とが印刷されている。また、香りペーパＰ１には、香りを発散させるトリガ部位であることを示すマーク画像８１，８２と、これらに付随するメッセージ画像とがそれぞれ印刷されている。そして、ユーザがマーク画像８１，８２近傍のカバーシートを剥がしたり破いたりする（トリガする）ことにより、図１０中に示すような「井上ユリ」という名のユーザに適した内容のバラの香りや新作の香水の香りが発せられるようになっている。
【００８６】
図１１に示す香りペーパＰ２には、「鈴木花子」という名のユーザに対応するバリアブルデータＤ１と、全てのユーザに共通の固定データＤ２とが印刷されている。また、香りペーパＰ２には、香りを発散させるトリガ部位であることを示すマーク画像８１，８２，８３と、これらに付随するメッセージ画像とがそれぞれ印刷されている。そして、ユーザがマーク画像８１，８２，８３近傍のカバーシートを剥がしたり破いたりする（トリガする）ことにより、図１１中に示すような「鈴木花子」という名のユーザに適した内容のバラの香りや新作の香水の香りが発せられるようになっている。
【００８７】
このように本実施形態によれば、例えばユーザごとに印刷内容を変化させ得るバリアブル印刷において、ユーザごとに変化する画像を香りペーパに印刷するとともに、その印刷内容に対応した香りを当該香りペーパに記録することが可能となる。
【００８８】
したがって、バリアブル印刷に香りペーパを利用して個々のユーザに対して香りによるより効果的なアピールを行うことが可能となる。
【００８９】
次に、本発明の第２実施形態について説明する。
【００９０】
上記の第１実施形態では、ＩＣタグ７０が備えられた香りペーパが使用され、香りデータ識別情報と香りペーパ種別情報とが香りペーパのＩＣタグ７０に書き込まれるのに対し、第２実施形態では、ＩＣタグが備えられていない香りペーパが使用され、香りデータ識別情報と香りペーパ種別情報とを変換して得られたバーコードに基づいて、バーコード画像が香りペーパに印刷される点で、両者は相違している。その他の点では両者は同様であるため説明を省略する。
【００９１】
図１２は、第２実施形態に係る前処理装置１０ａの概略構成を示すブロック図、図１３は、第２実施形態に係る後処理装置２０ａの概略構成を示すブロック図である。
【００９２】
図１２に示すように、前処理装置１０ａは、第１実施形態のＩＣタグライタ１７を有していない。一方、ＲＯＭ１２には、香りデータ識別情報と香りペーパ種別情報とをバーコードに変換するためのバーコード生成プログラムが格納される。また、図１３に示すように、後処理装置２０ａは、第１実施形態のＩＣタグリーダ２４を有していないが、その代わりに、バーコード読み取り部２９を有している。バーコード読み取り部２９は、バーコード画像を検出するための光学センサを含んでいる。
【００９３】
前処理装置１０ａにおける画像記録処理について、図７および図８に示される第１実施形態の画像記録処理と相違する点を以下に説明する。
【００９４】
すなわち、図８のステップＳ１１２では、上記の第１実施形態では、香りデータ識別情報と香りペーパ種別情報とが香りペーパのＩＣタグ７０に書き込まれるが、第２実施形態では、ステップＳ１１２は省略される。その代わりに、図８のステップＳ１０９において、香りデータ識別情報と香りペーパ種別情報とがバーコードに変換され、当該バーコードの画像データが１ページ分の印刷用画像データに合成される。そして、ステップＳ１１０において、バーコード画像を含む印刷用画像が、香りペーパに印刷される。
【００９５】
次に、後処理装置２０ａにおける香り記録処理について、図９に示される第１実施形態の香り記録処理と相違する点を以下に説明する。
【００９６】
すなわち、図９のステップＳ２０２では、上記の第１実施形態では、ＩＣタグリーダ２４により、香りペーパに備えられたＩＣタグ７０から電子データが読み出されるが、第２実施形態では、バーコード読み取り部２９により、香りペーパ上のバーコード画像が読み取られて、香りデータ識別情報と香りペーパの種別情報とに変換される。
【００９７】
図１４は、第２実施形態に係る後処理装置２０ａから出力された香りペーパＰ１ａの一例を示し、図１５は、第２実施形態に係る後処理装置２０ａから出力された香りペーパＰ２ａの一例を示す。第１実施形態で使用される図１０および図１１の香りペーパＰ１，Ｐ２にはＩＣタグ７０が備えられているが、第２実施形態で使用される図１４および図１５の香りペーパＰ１ａ，Ｐ２ａにはＩＣタグ７０が備えられておらず、バーコード画像７５が印刷されていることがわかる。
【００９８】
このような第２実施形態によっても、第１実施形態で得られる効果と同様の効果を得ることが可能である。
【００９９】
本発明は、上述した実施形態のみに限定されるものではなく、特許請求の範囲内において、種々改変することができる。
【０１００】
例えば、上述した第１実施形態では、ＩＣタグ７０が備えられた香りペーパが使用される場合について説明し、第２実施形態では、ＩＣタグが備えられていない香りペーパが使用される場合について説明したが、本発明はこれに限定されるものではない。本発明は、ＩＣタグ７０が備えられた香りペーパ、およびＩＣタグが備えられていない香りペーパのいずれが使用さてもよい構成とすることができる。この場合、前処理装置はＩＣタグライタ１７を有するとともに、ＲＯＭ１２にはバーコード生成プログラムが格納され、また、後処理装置は、ＩＣタグリーダ２４とバーコード読み取り部２９の双方を有する。
【０１０１】
また、上述した実施形態では、前処理装置および後処理装置の間での用紙を介した情報の伝達方法として、バーコードやＩＣタグを利用して香りデータ識別情報を伝達する方法について説明したが、本発明はこれに限定されるものではない。本発明は、たとえば電子透かし技術を利用して香りデータ識別情報を画像に埋め込む方法などの他の方法が使用されてもよい。電子透かしを用いる場合、後処理装置において電子透かしライタにより埋め込まれた情報の読み込みが行われる。
【０１０２】
また、香りデータ識別情報として、用紙（香りペーパ）の決められた位置に印刷されたバリアブルデータの画像が利用されてもよい。この場合、その画像を読み取って画像認識することにより、該当する香りデータが識別され得る。また、香りデータ識別情報として、用紙（香りペーパ）の決められた位置に印刷されたバリアブルデータの文字列が利用されてもよい。この場合、その文字列をＯＣＲ認識して、該当する香りデータが識別され得る。
【０１０３】
また、上述した実施形態では、前処理装置は、画像記録処理を行うための画像記録部として機能し、後処理装置は、香り記録処理を行うための香り記録部として機能するが、本発明はこれに限定されるものではない。本発明においては、前処理装置が、香り記録処理を行うための香り記録部として機能し、後処理装置が、画像記録処理を行うための画像記録部として機能する構成とされてもよい。つまり、香りペーパに対する画像の記録と香りの記録との実行順序を入れ替えることが可能である。
【０１０４】
また、上述した実施形態では、前処理装置と後処理装置とは、別個独立して構成されており、専用インタフェース用バスなどで接続されているが、本発明はこれに限定されるものではない。本発明においては、前処理装置と後処理装置とが１つの筐体に収容されて一体に構成されていてもよい。
【０１０５】
また、上述した実施形態では、香りデータは、ネットワーク５０上のデータベースサーバ４０から取得されるが、本発明はこれに限定されるものではない。本発明においては、各種の香りデータが記録システム１内の記憶部に格納され、必要に応じて所望の香りデータが記録システム１内の記憶部から取得されてもよい。
【０１０６】
本発明において、記録システムにおける各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【図面の簡単な説明】
【０１０７】
【図１】本発明の第１実施形態に係る記録システムが適用されたネットワークシステムの全体構成図である。
【図２】前処理装置の概略構成を示すブロック図である。
【図３】後処理装置の概略構成を示すブロック図である。
【図４】香りペーパの一例を示す。
【図５】香りペーパの香りユニットの構造の一例を示したものであって、（Ａ）は上面図、（Ｂ）は断面図である。
【図６】（Ａ）（Ｂ）は、第１実施形態で使用される２種類の香りペーパを示す。
【図７】前処理装置における画像記録処理の手順を示すフローチャートである。
【図８】図７から続く、前処理装置における画像記録処理の手順を示すフローチャートである。
【図９】後処理装置における香り記録処理の手順を示すフローチャートである。
【図１０】後処理装置から出力された香りペーパＰ１の一例を示す。
【図１１】後処理装置から出力された香りペーパＰ２の一例を示す。
【図１２】第２実施形態に係る前処理装置の概略構成を示すブロック図である。
【図１３】第２実施形態に係る後処理装置の概略構成を示すブロック図である。
【図１４】第２実施形態に係る後処理装置から出力された香りペーパＰ１ａの一例を示す。
【図１５】第２実施形態に係る後処理装置から出力された香りペーパＰ２ａの一例を示す。
【符号の説明】
【０１０８】
１    記録システム、
１０，１０ａ    前処理装置、
１１，２１    ＣＰＵ、
１２，２２    ＲＯＭ、
１３，２３    ＲＡＭ、
１４    操作パネル部、
１５    給紙部、
１６    画像形成部、
１７    ＩＣタグライタ、
１８，２７    通信インタフェース、
１９，２８    バス、
２０，２０ａ    後処理装置、
２４    ＩＣタグリーダ、
２５    香り書き込み装置、
２６    用紙排出部、
２９    バーコード読み取り部、
３０    クライアント端末、
４０    データベースサーバ、
５０    ネットワーク、
６０    香りユニット、
６１    台紙、
６２    接着剤、
６３    ベースシート、
６４    薬剤吸着部、
６５    香り機構部、
６６    カバーシート、
７０    ＩＣタグ、
７５    バーコード画像、
８１，８２，８３    マーク画像、
Ｐ，Ｐ１，Ｐ２，Ｐ１ａ，Ｐ２ａ    香りペーパ、
Ｄ１    バリアブルデータ、
Ｄ２    固定データ。
【図１】
0004816038.tif 000002
【図２】
0004816038.tif 000003
【図３】
0004816038.tif 000004
【図４】
0004816038.tif 000005
【図５】
0004816038.tif 000006
【図６】
0004816038.tif 000007
【図７】
0004816038.tif 000008
【図８】
0004816038.tif 000009
【図９】
0004816038.tif 000010
【図１２】
0004816038.tif 000011
【図１３】
0004816038.tif 000012
【図１０】
0004816038.tif 000013
【図１１】
0004816038.tif 000014
【図１４】
0004816038.tif 000015
【図１５】
0004816038.tif 000016